(57)【特許請求の範囲】
【請求項１】
押下げヘッド付きの大径シリンダ13と、第１外向きフランジ14を上端に有する小径シリンダ15と、それ等両シリンダ内へ上下両部を嵌合させた管状プランジャ16とで形成した縦型蓄圧式ポンプ11を、
透明ないし半透明でかつ底板を摺動底壁４で形成する容器体１の上部へ、
容器体口頸部外面へ周壁18を螺合させた取付け部材17により、容器体上部内へ垂下させた小径シリンダ15上端の第１外向きフランジ14を、口頸部上端面と上記周壁18上端の内向きフランジ状頂板19とで挟持すると共に、頂板19内周から起立させた係合筒20内へ大径シリンダ13を上下動可能に、かつ抜出し不能に嵌合させることで装着させ、
又上記小径シリンダ15の中間部には残圧排出孔21を穿設すると共に、小径シリンダの下部内面にはシール解除手段22を設けて、管状プランジャ16下端外周がシール解除手段内方へ位置したとき、小径シリンダ下部内に残った高圧流動体が管状プランジャと小径シリンダとの間を通って上記残圧排出孔21から容器体内へ噴出するよう設けた蓄圧式の液体噴出容器において、
上記小径シリンダ15の外面を覆合筒35で、上下両端部は小径シリンダ外面へ気密に接して、かつ中間部は間隙をおいて覆合させて、それ等小径シリンダ外面と覆合筒内面との間隙を気密空間36に形成し、
上記残圧排出孔21をその気密空間内に開孔させた
ことを特徴とする蓄圧式液体噴出容器。
【請求項２】
覆合筒35を、弾性を有する合成樹脂材により、小径筒31上端から外向きフランジ状壁32を介して大径筒33を起立し、該大径筒上端から第２外向きフランジ34を突出する形状となし、
上記小径筒31を小径シリンダ15の下部外面へ気密に嵌合させると共に大径筒内径を小径シリンダ外径より大としてこれ等大径筒内面と小径シリンダ外面との間に気密空間36を形成し、
第２外向きフランジ34は小径シリンダの第１外向きフランジ14下面へ当接させて、第２外向きフランジ34外周を第１外向きフランジ14と容器体口頸部の上端面との間で気密に挟持させた
ことを特徴とする、請求項１記載の蓄圧式液体噴出容器。
【発明の詳細な説明】
【０００１】
【発明の属する技術分野】
本発明は蓄圧式の液体噴出容器に関する。
【０００２】
【従来の技術】
図４が示すように、押下げヘッド12付きの大径シリンダ13と、第１外向きフランジ14付きの小径シリンダ15と、これ等両シリンダ内へ上下両部を嵌合させた管状プランジャ16とで縦型の蓄圧式ポンプ11を形成して、該ポンプを容器体１上部へ、上記小径シリンダを容器体上部内へ垂下させてその第１外向きフランジ14を、容器体口頸部外面へ螺合された、取付け部材17の周壁18上端のフランジ状頂板で容器体口頸部上端面との間で挟持させ、又頂板内周から起立する係合筒20内へ上記大径シリンダを上下動可能に、かつ抜出し不能に嵌合させて装着させた蓄圧式の液体噴出容器は広く一般に使用されている。
【０００３】
又容器体上部にポンプを設けて該ポンプ操作により容器体内の液体を噴出し、該液体噴出により容器体内液体が減少すると、該減少による容器体内の負圧化で容器体下部内へ摺動可能に嵌合された底壁４が上昇してその負圧状態が解消されるよう設けた容器も広く知られている。
【０００４】
【発明が解決しようとする課題】
既述縦型蓄圧式ポンプを有する容器は、押下げヘッド12を介して大径シリンダ13と管状プランジャ16とを付勢に抗して底部に吸込み弁を有する小径シリンダ15に対して押下げすると、両シリンダの径差により、つまり管状プランジャ上下両端面の面積差により管状プランジャ16だけが大径シリンダ13に対して更に下降し、すると管状プランジャ上面から起立する弁体13a が大径シリンダ頂板に穿設した弁孔13b を開いて、それ等両シリンダおよび管状プランジャ内の液体が押下げヘッド12が有するノズル12a から噴出し、このように噴出を継続し乍ら押下げヘッド付きの大径シリンダ13と管状プランジャ16とが下降して、管状プランジャ16下端が小径シリンダの下部内面に周設した溝等で形成するシール解除手段内方へ位置したとき、その解除手段22および管状プランジャ16と小径シリンダ15との間とを通って、小径シリンダ下部内の高圧液体が小径シリンダ中間部に穿設した残圧排出孔21から容器体内へ排出され、すると小径シリンダ15、大径シリンダ13、管状プランジャ16内の液体高圧状態が解消され、該解消により管状プランジャ16は上昇して、既述弁体と弁孔とが形成する吐出弁が閉塞し、該状態で押下げヘッドを離すと、押下げヘッド付き大径シリンダ13および管状プランジャ16が小径シリンダ15に対して上昇し、該上昇による小径シリンダ15内の負圧化で小径シリンダ底部の吸込み弁15a が開いて容器体内液体を小径シリンダ内へ吸込むものである。
【０００５】
通常小径シリンダ下端からは吸込み弁孔に連通させて吸上げパイプが容器体内底部まで垂下され、容器体内に収納された液体の液面上方に既述残圧排出孔21が位置するから、該排出孔から排出された残圧液体は液面上方の空間内へ放出されるが、容器体底壁を摺動可能として容器体内負圧化でその底壁が上昇するよう設けた場合は、液面上方に空間が形成されていると液体減少による容器体内の負圧化が不完全となり、時によってはその空間内空気がポンプに吸込まれることとなるから、そのような空間を残すことなく、容器体内へはその上端まで液体を充填することとなる。
【０００６】
従って既述残圧排出孔21は液体中に位置することとなり、その排出孔から放出される残圧水は、容器体内の液体中に放出される。
【０００７】
ところで、容器を始めて使用する際は、小径シリンダ15等の内部には液体が未だ吸込みされておらず、よって始めてポンプを作動させた場合は、ポンプ内空気が圧縮されて高圧空気がノズル12a から噴出すると共に、残圧排出孔21からも高圧空気が放出されることとなる。ポンプ内空気は操作を反復することで徐々に容器体内液体と置換されるが、該置換が完了するまでは空気を含有する液体が放出され続けることとなる。上記のように、残圧排出孔21が水中に位置する場合は、その残圧放出孔から水中へ放出された空気は気泡となり、特に容器体内液体に粘性があると、その気泡が消滅しないまま永く残って、容器体が透明ないし半透明の場合はその気泡が容器の外見を損なうものであった。
【０００８】
本発明はそのような気泡により容器の外見が損なわれないよう設けたものである。
【０００９】
【課題を解決するための手段】
第１の手段として押下げヘッド付きの大径シリンダ13と、第１外向きフランジ14を上端に有する小径シリンダ15と、それ等両シリンダ内へ上下両部を嵌合させた管状プランジャ16とで形成した縦型蓄圧式ポンプ11を、
透明ないし半透明でかつ底板を摺動底壁４で形成する容器体１の上部へ、
容器体口頸部外面へ周壁18を螺合させた取付け部材17により、容器体上部内へ垂下させた小径シリンダ15上端の第１外向きフランジ14を、口頸部上端面と上記周壁18上端の内向きフランジ状頂板19とで挟持すると共に、頂板19内周から起立させた係合筒20内へ大径シリンダ13を上下動可能に、かつ抜出し不能に嵌合させることで装着させ、
又上記小径シリンダ15の中間部には残圧排出孔21を穿設すると共に、小径シリンダの下部内面にはシール解除手段22を設けて、管状プランジャ16下端外周がシール解除手段内方へ位置したとき、小径シリンダ下部内に残った高圧流動体が管状プランジャと小径シリンダとの間を通って上記残圧排出孔21から容器体内へ噴出するよう設けた蓄圧式の液体噴出容器において、
上記小径シリンダ15の外面を覆合筒35で、上下両端部は小径シリンダ外面へ気密に接して、かつ中間部は間隙をおいて覆合させて、それ等小径シリンダ外面と覆合筒内面との間隙を気密空間36に形成し、
上記残圧排出孔21をその気密空間内に開孔させた。
【００１０】
第２の手段として、上記第１の手段を有すると共に覆合筒35を、弾性を有する合成樹脂材により、小径筒31上端から外向きフランジ状壁32を介して大径筒33を起立し、該大径筒上端から第２外向きフランジ34を突出する形状となし、
上記小径筒31を小径シリンダ15の下部外面へ気密に嵌合させると共に大径筒内径を小径シリンダ外径より大としてこれ等大径筒内面と小径シリンダ外面との間に気密空間36を形成し、
第２外向きフランジ34は小径シリンダの第１外向きフランジ14下面へ当接させて、第２外向きフランジ34外周を第１外向きフランジ14と容器体口頸部の上端面との間で気密に挟持させた。
【００１１】
【発明の実施の形態】
まず図１と図２とが示す実施形態について説明する。まず従来公知の部分について説明すると、１は胴部２上端から肩部を介して口頸部３を起立する透明ないし半透明の容器体で、その底壁４は容器体内負圧化により上昇してその負圧状態を解消するよう設けた、摺動式の底壁としている。その底壁は後述の小径シリンダおよび該小径シリンダ外面へ嵌合させた覆合筒の下部が嵌合可能な形状にその底壁上面中央部を凹状に形成している。又胴部下端には空気孔５付きの保護筒６を嵌合させている。
【００１２】
11は、押下げヘッド12付きの大径シリンダ13と、第１外向きフランジ14を上端に有する小径シリンダ15と、それ等両シリンダ内へ上下両部を嵌合させた管状プランジャ16とからなる縦型の蓄圧式ポンプで、該ポンプは、取付け部材17で、その周壁18を容器体口頸部３外面へ螺合させ、かつ周壁18上端のフランジ状頂板19で、上記小径シリンダの第１外向きフランジ14を口頸部３上端面との間で挟持する。小径シリンダ15は容器体の上部内へ垂下される。尚図示例では第１外向きフランジ14と口頸部上端面との間に、後述覆合筒の第２外向きフランジを介在させているが該覆合筒は本発明を形成する部材であるから、これについては後述する。又上記頂板19内周からは係合筒20を起立し、該係合筒内へ大径シリンダ13を上下動可能に、かつ抜出し不能に嵌合させて、取付け部材17で蓄圧式ポンプ11を容器体上部へ装着させている。上記小径シリンダ15はその中間部に残圧排出孔21を有し、小径シリンダの下部内面には凹溝を周設してシール解除手段22となし、管状プランジャ16下降によりそのプランジャの下端外周がその凹溝内へ入ったとき、そのプランジャ下方の小径シリンダ下部内の高圧化した空気ないし液体が管状プランジャと小径シリンダとの間を通って残圧排出孔21から排出される。
【００１３】
以上は図４について述べた場合と構造および作用共に同一であり、よって作用についての説明は省略する。
【００１４】
上記構成において、本発明にあっては図が示すように小径筒31上端から外向きフランジ状壁32を介して大径筒33を起立し、該大径筒上端から第２外向きフランジ34を突出する覆合筒35を設けて、該覆合筒の小径筒31を小径シリンダ15の下部外面へ気密に嵌合させると共に第２外向きフランジ34を容器体口頸部の上端面と小径シリンダの第１外向きフランジ14との間に介在させ、それ等第１、第２外向きフランジ14,34 を、口頸部上端面と取付け部材17の頂板19とで挟持した。大径筒33は小径シリンダ外径よりも大内径としてそれ等の間に間隙を設け、又第２外向きフランジ34は第１外向きフランジ14下面へ当接させている。従って上記間隙は気密空間36を形成し、既述残圧排出孔21はその気密空間内へ開孔する。
【００１５】
図３は覆合筒35を別実施形態で示すものであり、この場合は小径筒31上端から外向きフランジ状壁32を介して起立する大径筒33上端を上部小径のテーパ部37としてそのテーパ部上端内面を小径シリンダの上部外面へ気密に嵌合させている。この場合も小径シリンダ外面と大径筒33内面との間には気密空間36が形成され、該気密空間内へ残圧排出孔21が開孔する。
【００１６】
覆合筒35は弾性を有する合成樹脂材で形成するとよく、又不透明色としてもよい。
【００１７】
【発明の効果】
本発明は既述構成とするものであり、取付け部材17で容器体上部へ装着された縦型蓄圧式ポンプ11の小径シリンダ15外面を、覆合筒35で覆い、該覆合筒内面とと小径シリンダ外面との間に気密空間36を形成し、該気密空間内へ小径シリンダ15が有する残圧排出孔21を開孔させたから、上記当初のポンプ作動によりそのポンプ内の空気が残圧排出孔から気密空間36内へ排出されても、その気密空間内には未だ液体が入っていないから、その排出された空気が発泡することはなく、又上記ポンプ内空気が徐々に液体に置換されることで残圧排出孔から空気と液体とが共に気密空間内へ入っても、該気密空間は密閉されているため、その気密空間内はそれ等空気と液体とで高圧化することとなり、従ってその発泡を防止でき、又発泡したとしてもその泡径はその高圧化で微小化することとなる。尚その気密空間36内に残った空気もポンプ内空気が液体と共にノズルから放出されるにつれて気密空間内へは液体だけが放出され、該液体が気密空間内空気をポンプ内へ逆流させ、液体と共にノズルから噴出するから、気密空間内空気は減少して上記微小な泡も次第に殆ど生じなくすることが出来る。
【００１８】
このようにして、縦型蓄圧式ポンプの小径シリンダ15が有する残圧排出孔21から排出される空気が、容器体内で発泡することを防止でき、又発泡してもその泡径を微小化できるから、従来のように容器体内に多数の泡が発生して容器の外見を損なうことがない。
【００１９】
請求項２項の場合は、覆合筒35を小径筒上端から外向きフランジ状壁を介して小径シリンダ外径よりも大内径の大径筒33を起立し、その大径筒上端の第２外向きフランジ34を小径シリンダが有する第１外向きフランジ14下面へ当て、かつ第２外向きフランジ外周を上記第１外向きフランジ14と容器体口頸部上端面との間で挟持させたから、又その覆合筒35は弾性を有する合成樹脂材で成形したから、その覆合筒を小径シリンダ外面へ気密に嵌合させることが容易である。
【図面の簡単な説明】
【図１】  本発明容器の縦断面図である。
【図２】  押下げヘッドを介して大径シリンダおよび管状プランジャを押下げた状態を示す縦断面図である。
【図３】  別実施形態で示す、容器の縦断面図である。
【図４】  従来例容器の縦断面図である。
【符号の説明】
11…縦型蓄圧式ポンプ      13…大径シリンダ
15…小径シリンダ          16…管状プランジャ
17…取付け部材            21…残圧排出孔
22…シール解除手段        35…覆合筒
36…気密空間
【図１】
0003720615.tif 000002
【図２】
0003720615.tif 000003
【図３】
0003720615.tif 000004
【図４】
0003720615.tif 000005